(57)【要約】【課題】抽出用パック（ティーパック）を用いて一度に多量の抽出物を調製する際に、取り扱い性が良く、抽出効率にも優れており、且つその製法も簡単な抽出用パックを提供すること。【解決手段】水透過性材料で形成された、被抽出物を収納した細長の筒状袋体からなる抽出用パックにおいて、該筒状袋体は、細長の方向で３室以上の収納室に仕切られており、この収納室のうち、筒状袋体の一端から連続した２室以上は、被抽出物が収納されており、そして収納室のうち、筒状袋体の他端から１室又は連続した２室以上は、被抽出物が収納されていない構成となっていることを特徴とする抽出用パック。この抽出用パックは、例えば、ペットボトルに挿入して、被抽出物が収納されている部分を水中に浸漬すると共に、被抽出物が収納されていない部分を、ペットボトルの口とそれにねじ込むキャップの間に挟み込んで固定するようにして使用される。【選択図】図２
2007055618.tif 000002
【特許請求の範囲】
【請求項１】
水透過性材料で形成された、被抽出物を収納した細長の筒状袋体からなる抽出用パックにおいて、該筒状袋体は、細長の方向で３室以上の収納室に仕切られており、該収納室のうち、筒状袋体の一端から連続した２室以上は、被抽出物が収納されており、該収納室のうち、筒状袋体の他端から１室又は連続した２室以上は、被抽出物が収納されていない構成となっていることを特徴とする抽出用パック。
【請求項２】
筒状袋体が、長さが９〜３０ｃｍで筒の周長が３〜１０ｃｍの細長の形状のものである請求項１記載の抽出用パック。
【請求項３】
被抽出物が収納されている収納室が２〜５室からなり、被抽出物が収納されていない収納室が１〜３室からなる請求項１又は２記載の抽出用パック。
【請求項４】
収納室が、全て同じ大きさの収納室からなっている請求項１〜３のいずれか１項記載の抽出用パック。
【請求項５】
筒状袋体が、熱又は超音波シール性の不織布から形成され、各収納室が熱又は超音波による不織布の融着によって仕切られている請求項１〜４のいずれか１項記載の抽出用パック。
【発明の詳細な説明】
【技術分野】
【０００１】
本発明は、茶葉等の抽出用パック（又はバッグ）に関するもので、更に詳しくは、お茶等の飲料を多量に調製する場合に用いられる抽出用パックに関する。
【背景技術】
【０００２】
従来、ウーロン茶、煎茶、焙じ茶、紅茶、麦茶、コーヒー挽粒、各種薬草茶等の茶葉等（被抽出物）を、紙や不織布等のティーバッグに詰めティーパックとした状態で、水やお湯等に浸漬し、内容物を抽出し、種々のお茶やコーヒー等を調整する方法は公知である。その際、一般に正方形又は長方形状の一人用のティーパックを、糸で吊るして水やお湯の入った茶碗やカップに浸漬し内容物を抽出するやり方、あるいは、茶葉等を多量に収納した大きなティーパックを、やはり糸等で吊るして水やお湯の入ったペットボトルやガラスビン等に浸漬し、多量の飲料を一度に調製することが行われている（例えば、特許文献１〜６参照）。
【特許文献１】特開２００５−８８９８４号公報
【特許文献２】特開２００３−２４６３６５号公報
【特許文献３】特開２００３−２３５７３４号公報
【特許文献４】特開平１１−１２６７号公報
【特許文献５】登録実用新案第３０７８７２５号
【特許文献６】実開平５−７２７６８号公報
【０００３】
大きなティーパックの場合、糸等で吊すタイプのものは、製造コストが高くなるばかりでなく、抽出容器への出し入れや取り扱いが不便であったり、また、ティーパックが水やお湯の中で浮き上がって抽出効率が悪くなるという問題がある。かかる問題を解決するために、茶葉等を詰めた長い棒状の包材（ティーパック）を、ペットボトルの口から挿入し、ペットボトル内の水に浸漬し、且つペットボトルの口の上縁でティーパックの上の部分を折り返し、これを前記口とその口にねじ込むキャップとの間に挟み、固定し、吊り下げる様にしたものが提案されている（特許文献７参照）。このティーパックは、製造も容易で、取り扱い性にも優れており、例えば、麦茶を水で抽出し多量の麦茶飲料を調整する場合には、非常に便利なものである。しかし、このティーパックを用いる場合、被抽出物が、麦茶のように不定形の粗い粒と細かな粒が混ざったものである場合や、嵩張った荒茶等である場合には、抽出効率が良く特に問題はないが、ウーロン茶、煎茶、抹茶、紅茶、コーヒー挽粒等の、素材の粒度が細かく均一的なもの、あるいは水で膨潤するような被抽出物の場合には、水に浸漬しておくとティーパックが棒状に硬く締まってしまい、抽出効率が非常に悪くなるという問題がある。
【特許文献７】登録実用新案第３００１３９１号
【発明の開示】
【発明が解決しようとする課題】
【０００４】
本発明の課題は、抽出用パック（ティーパック）を用いて一度に多量の抽出物を調製する際に、取り扱い性が良く、抽出効率にも優れており、且つその製法も簡単な抽出用パックを提供することにある。
【課題を解決するための手段】
【０００５】
本発明のうち、請求項１記載の発明は、水透過性材料で形成された、被抽出物を収納した細長の筒状袋体からなる抽出用パックにおいて、該筒状袋体は、細長の方向で３室以上の収納室に仕切られており、該収納室のうち、筒状袋体の一端から連続した２室以上は、被抽出物が収納されており、該収納室のうち、筒状袋体の他端から１室又は連続した２室以上は、被抽出物が収納されていない構成となっていることを特徴とする抽出用パックである。なお、前記特許文献４には、ペットボトル用のティーパックの袋体の内部が、仕切部で複数の空間部に分けられたものが提案されているが、これは、ティーパックが仕切り部で折れ曲がるので、ペットボトル中の水が減水した場合でも、十分に抽出できるように工夫したものであり、本発明の目的とは異なっている。また、特許文献４のものには、折れ曲がり易いティーパックをペットボトルの口から押し込むための支軸が付いているが、これは製造が複雑であるばかりでなく、支軸は固定されていないので、抽出後、ティーパックを取り出すのが面倒であり、本発明とは作用効果も全く異なっている。
【０００６】
本発明の請求項２記載の発明は、筒状袋体が、長さが９〜３０ｃｍで筒の周長が３〜１０ｃｍの細長の形状のものである請求項１記載の抽出用パックである。
【０００７】
本発明の請求項３の発明は、被抽出物が収納されている収納室が２〜５室からなり、被抽出物が収納されていない収納室が１〜３室からなる請求項１又は２記載の抽出用パックである。
【０００８】
本発明の請求項４の発明は、収納室が、全て同じ大きさの収納室からなっている請求項１〜３のいずれか１項記載の抽出用パックである。なお、同じ大きさとは、正確に同じ大きさのものだけでなく、ほぼ同じ大きさのものも含むものである。
【０００９】
そして、本発明の請求項５の発明は、筒状袋体が、熱又は超音波シール性の不織布から形成され、各収納室が熱又は超音波による不織布の融着によって仕切られている請求項１〜４のいずれか１項記載の抽出用パックである。
【発明の効果】
【００１０】
本発明によれば、抽出用パック（ティーパック）を用いて一度に多量の抽出物を調製する際に、取り扱い性が良く、安定した挿入状態を保持でき抽出効率にも優れた、且つその製法も簡単な抽出用パックが得られる。
【発明を実施するための最良の形態】
【００１１】
本発明の抽出用パックは、これを、水、お湯、アルコール等の抽出液の入った抽出容器に浸漬し、被抽出物に含まれる成分を抽出液中に抽出するためのものである。被抽出物としては、ウーロン茶、煎茶等の緑茶、焙じ茶、紅茶、麦茶、玄米茶等の穀物茶、コーヒー挽粒、各種薬草茶、漢方薬等が挙げられる。抽出容器は、特に限定されるものではないが、ペットボトル等の合成樹脂製のボトル、ガラスや金属製のボトル等のキャップを有するものが好ましい。
【００１２】
本発明の抽出用パックは、水透過性材料で形成された、被抽出物を収納した細長の筒状袋体からなる抽出用パックであって、この筒状袋体は、細長の方向で３室以上の収納室に仕切られており、収納室のうち、筒状袋体の一端から連続した２室以上は、被抽出物が収納されており、収納室のうち、筒状袋体の他端から１室又は連続した２室以上は、被抽出物が収納されていない構成となっているものである。水透過性材料としては、例えば、パルプ製の未晒し・晒し紙、コットン紙、天然又は合成繊維の織編物や不織布、ナイロンやポリエステル紗等が挙げられる。熱又は超音波シール性の、合成繊維不織布又は紙と合成繊維の混合不織布が特に好ましい。これらは、熱又は超音波による不織布の融着によって、各収納室を仕切ることができるので便利である。
【００１３】
本発明の抽出用パックは、上記材料で形成された細長の筒状の袋体である。そして、細長の方向で３室以上、好ましくは３〜８室の収納室に仕切られているものである。但し、後述の被抽出物が収納されていない収納室の外側末端部分は、特に仕切られている必要はなく、開口していても良い。仕切られた収納室のうち、筒状袋体の一端から連続した２室以上、好ましくは２〜５室は、被抽出物が収納されており、収納室のうち、筒状袋体の他端から１室又は連続した２室以上、好ましくは１〜３室は、被抽出物が収納されていない構成となっているものである。筒状袋体の長さは９〜３０ｃｍで、筒の周長は３〜１０ｃｍの細長の形状のものが好ましい。
【００１４】
本発明の筒状袋体の収納室は、全て同じ大きさの収納室からなっているものが、その製造上は便利であるが、被抽出物を収納していない収納室は、前記のごとく、外側末端部分は特に仕切られている必要はなく、開口していても良い。また、被抽出物を収納していない収納室同士は、特に熱シール等で仕切る必要はないので、場合によっては仕切りが省略されていても良い。
【００１５】
本発明の筒状袋体に収納する被抽出物の量は、被抽出物の種類、抽出容器の大きさ、目的や好みによって異なるが、適宜任意に決めることができる。例えば、被抽出物がウーロン茶、煎茶等の緑茶、焙じ茶、紅茶、麦茶、玄米茶等の穀物茶の場合には、一つの筒状袋体（抽出パック）当たり１０〜２０ｇ、収納室には、各室当たり２〜５ｇ程度収納するのが、抽出効率の点等から好ましい。
【００１６】
本発明の抽出用パックの使用方法について説明する。抽出用パックは、水やお湯等の抽出液の入った抽出容器の口から、細長の筒状袋体を挿入し、そして、被抽出物を収納している収納室の部分は抽出液中に浸漬すると共に、被抽出物を収納していない収納室からなる部分を、抽出容器の口とキャップとの間に挟み込んで、筒状袋体を吊下げ固定することによって使用される。挟み込む方法としては、抽出容器が、ペットボトルの様なネジ付の口とそれにねじ込むネジ付のキャップからなるものの場合には、筒状袋体の末端部分を折返し、折返し部分をボトルの口に掛け、そのままの状態でキャップをねじ込むことによって、折り返し部分をボトルの口の外縁部とキャップの間に挟み込んで固定すれば良い。また、例えば、キャップが抽出容器の口にはめ込む形式の場合には、筒状袋体の末端部分をそのまま、キャップと口の間に挟み込むことによって固定することができる。
【実施例】
【００１７】
以下、本発明を具体的に実施例で説明する。水透過性材料として、ナイロン不織布を用いて、図１に示した様な、長さが３０ｃｍ、周長が８ｃｍの筒状袋体からなる本発明の抽出用パックを作成した。図１において、１は筒状袋体であり、２ａ、２ｂは被抽出物を収納していない収納室であり、３ａ、３ｂ、３ｃは被抽出物を収納している収納室であり、４ａ、４ｂ、４ｃは被抽出物であり、５はヒートシールされた仕切り部を表す。各収納室の長さは、仕切り部も含めて６ｃｍである。収納室３ａ、３ｂ、３ｃには、それぞれ５ｇの緑茶を収納した。
【００１８】
前記の抽出用パックを、図２に示した様に、２リットルの水を入れたペットボトル６に挿入し、筒状袋体を水７に浸漬すると共に、被抽出物を収納していない収納室の部分２の末端部分を折り返し、ボトルの口８の上縁に掛け、ボトルの口８とキャップ９との間に挟み、固定し、吊り下げた。ボトルの口８とキャップ９は、ネジ付きの口とそれにねじ込むネジ付きのキャップである。抽出後は、不要になった抽出用パックは、被抽出物を収納していない収納室の部分２の末端部分を引張ることによって、容易に取り出すことができる。
【図面の簡単な説明】
【００１９】
【図１】本発明の抽出用パックの一例を示す図である。
【図２】本発明の抽出用パックの使用態様の一例を示す図である。
【符号の説明】
【００２０】
１  筒状袋体
２、２ａ、２ｂ  被抽出物を含まない収納室
３、３ａ、３ｂ、３ｃ  被抽出物を含んでいる収納室
４ａ、４ｂ、４ｃ被抽出物
５  仕切り部
６  抽出容器（ペットボトル）
７  抽出液（水）
８  ペットボトルの口
９  キャップ
【図１】
2007055618.tif 000003
【図２】
2007055618.tif 000004